(57)【要約】  航空機の整備士の手動による酸素マスクの再詰め込みを必要としない、予め詰め込まれたモジユールシステムを有する、酸素マスクを展開するための装置。カートリッジは呼吸ガスのガス源と流体をやりとりする通路を備えたマニホールドとともに使用される。カートリッジは、端壁と、端壁からのび開口に隣接する末端で終わる側壁とを有する。フレキシブル部材は、カートリッジ内にチャンバを形成する。チャンバは、カートリッジがマニホールドに結合するとき、通路と流体をやりとりする。フレキシブル部材は、排気口を備える。マスクアッセンブリはカートリッジ内に配置される。マスクアッセンブリはフレキシブル部材の排気口に接続されたホースを備える。カバーが少なくとも一方の側壁の末端に取り外し可能に取り付けられる。【選択図】図３
2008526447.tif 000002
【特許請求の範囲】
【請求項１】
呼吸ガスのガス源と流体をやりとりする通路を備えたマニホールドとともに使用するためのカートリッジであって、
端壁と、
前記端壁からのび、開口に隣接する末端において終わる少なくとも１つの側壁と、
前記カートリッジの内部にチャンバを形成するフレキシブル部材と、を備え、前記チャンバは、前記カートリッジが前記マニホールドに結合されるときに前記通路と流体をやりとりし、さらに、前記フレキシブル部材は、
排気口と、
前記カートリッジの内部に配置するとともに、前記フレキシブル部材の排気口に接続されたホースを備えたマスクアッセンブリと、を備え、
前記チャンバに向かう前記呼吸ガスの流れによって前記フレキシブル部材に及ぼされる圧力により、前記マスクが、前記少なくとも１つの側壁の末端において、前記開口を通って前記カートリッジから放出されるようになっていることを特徴とするカートリッジ。
【請求項２】
前記マニホールド上のロックエレメントに係合し得るフランジをさらに備えていることを特徴とする請求項１に記載のカートリッジ。
【請求項３】
前記フレキシブル部材は隔壁からなっていることを特徴とする請求項１に記載のカートリッジ。
【請求項４】
前記フレキシブル部材はベローズからなっていることを特徴とする請求項１に記載のカートリッジ。
【請求項５】
前記隔壁は、その中間点において前記少なくとも１つの側壁に取り付けられていることを特徴とする請求項３に記載のカートリッジ。
【請求項６】
前記隔壁は、前記端壁に取り付けられていることを特徴とする請求項３に記載のカートリッジ。
【請求項７】
前記端壁は開口を有し、前記開口は、前記カートリッジが前記マニホールドに結合されるときに、前記通路と整合することを特徴とする請求項１に記載のカートリッジ。
【請求項８】
前記マスクアッセンブリに作動連結されたバルブをさらに備え、前記バルブは、ユーザが前記マスクアッセンブリに力を及ぼしたときに開放され、前記マスクアッセンブリに向かう前記呼吸ガスの流れを生じさせることを特徴とする請求項１に記載のカートリッジ。
【請求項９】
前記バルブは、前記マスクアッセンブリに取り付けられた引き綱によって作動せしめられることを特徴とする請求項８に記載のカートリッジ。
【請求項１０】
ユーザによる前記マスクアッセンブリを通じた吸気に応答するバルブをさらに備え、前記バルブは、前記マスクアッセンブリに向かう前記呼吸ガスの流れを制御することを特徴とする請求項１に記載のカートリッジ。
【請求項１１】
呼吸ガスのガス源と流体をやりとりする通路を備えたマニホールドとともに使用するためのカートリッジであって、
開口を備えた端壁を有し、前記開口は、前記カートリッジが前記マニホールドに結合するとき、前記通路と整合するようになっており、さらに、
前記端壁からのび、開口に隣接する末端において終わる少なくとも１つの側壁と、
前記カートリッジの内部に配置され、前記端壁の前記開口と流体をやりとりするためのホースを備えたマスクアッセンブリと、
前記カートリッジおよび前記マニホールドの一方に配置された付勢部材と、を有し、
前記付勢部材は、前記マスクアッセンブリに隣接する常時は閉じ込められた配置をとり、前記付勢部材が開放されたとき、前記付勢部材は前記マスクアッセンブリと係合して、前記少なくとも１つの側壁の前記末端において、前記開口を通じて前記マスクアッセンブリを放出するようになっていることを特徴とするカートリッジ。
【請求項１２】
前記マスクアッセンブリおよび前記付勢部材の間に配置されたピストンをさらに備えていることを特徴とする請求項１１に記載のカートリッジ。
【請求項１３】
前記付勢部材は、ラッチによって、前記閉じ込められた配置をとるように付勢されることを特徴とする請求項１１に記載のカートリッジ。
【請求項１４】
前記ラッチは、前記マニホールド上の留め金と係合することを特徴とする請求項１３に記載のカートリッジ。
【請求項１５】
前記付勢部材を前記閉じ込められた配置に保持するカバーをさらに備えたことを特徴とする請求項１１に記載のカートリッジ。
【請求項１６】
前記カバーは、ソレノイド作動式のラッチによって開放され、それによって、前記カバーの開口が前記付勢部材を解放し、順次、前記マスクアッセンブリが、前記少なくとも１つの側壁の前記末端において、前記開口を通って放出されるようになっていることを特徴とする請求項１５に記載のカートリッジ。
【請求項１７】
前記付勢部材を収容するための仕切られた空間を有する保持部材をさらに備え、前記保持部材はラッチを備えていることを特徴とする請求項１１に記載のカートリッジ。
【請求項１８】
前記保持部材上の前記ラッチは、前記マニホールド上に配置されたキャッチ部材と係合することを特徴とする請求項１７に記載のカートリッジ。
【請求項１９】
前記ラッチが解除されることによって、前記付勢部材は、前記保持部材を前記少なくとも１つの側壁の前記末端において、前記開口を通して押し出すことを特徴とする請求項１６に記載のカートリッジ。
【請求項２０】
前記ホースは、前記保持部材の外面に巻き付けられることを特徴とする請求項１７に記載のカートリッジ。
【請求項２１】
前記付勢部材は、前記マニホールドに取り付けられ、前記閉じ込められた配置において、前記マニホールドの表面に押し付けられることを特徴とする請求項１１に記載のカートリッジ。
【請求項２２】
前記付勢部材は、前記カートリッジの内部に配置されていることを特徴とする請求項１６に記載のカートリッジ。
【請求項２３】
前記マスクアッセンブリと作動連結されたバルブをさらに備え、前記バルブは、ユーザが前記マスクアッセンブリに力を及ぼしたときに開放されて、前記マスクアッセンブリに向かう呼吸ガスの流れを生じさせることを特徴とする請求項１１に記載のカートリッジ。
【請求項２４】
前記バルブは、前記マスクアッセンブリに取り付けられた引き綱によって作動せしめられることを特徴とする請求項２３に記載のカートリッジ。
【請求項２５】
ユーザによる前記マスクアッセンブリを通じた吸気に応答するバルブをさらに備え、前記バルブは、前記マスクアッセンブリに向かう呼吸ガスの流れを制御することを特徴とする請求項１１に記載のカートリッジ。
【請求項２６】
前記呼吸ガスのガス源と流体をやりとりする通路を備えたマニホールドとともに使用するためのカートリッジであって、
開口を有する端壁を備え、前記開口は、前記カートリッジが前記マニホールドに結合されたとき、前記通路と整合するようになっており、さらに、
前記端壁からのび、開口に隣接する末端で終わる少なくとも１つの側壁と、
前記カートリッジの内部に配置され、前記端壁における前記開口と流体をやりとりするためのホースを備えたマスクアッセンブリと、
前記マスクアッセンブリおよび前記端壁の間に配置されたピストンと、を備え、
前記カートリッジに向かう呼吸ガスの流れによって前記ピストンが前記マスクアッセンブリ内に向かってスライドし、それによって、前記マスクアッセンブリが、前記少なくとも１つの側壁の前記末端において、前記開口を通って放出されるようになっていることを特徴とするカートリッジ。
【請求項２７】
前記マスクアッセンブリと作動連結されたバルブをさらに備え、前記バルブは、ユーザが前記マスクアッセンブリに力を及ぼしたときに開放されることによって、前記マスクアッセンブリに向かう前記呼吸ガスの流れを生じさせることを特徴とする請求項２６に記載のカートリッジ。
【請求項２８】
前記バルブは、前記マスクアッセンブリに取り付けられた引き綱によって作動せしめられることを特徴とする請求項２７に記載のカートリッジ。
【請求項２９】
ユーザによる前記マスクアッセンブリを通じた吸気に応答するバルブをさらに備え、前記バルブは、前記マスクアッセンプリに向かう呼吸ガスの流れを制御することを特徴とする請求項２６に記載のカートリッジ。
【発明の詳細な説明】
【関連出願に対する相互参照】
【０００１】
本出願は、２００５年１月１３日付けで出願された「酸素マスクを展開するための方法および装置」という表題の米国仮特許出願第６０／６４３，４４９に基づく優先権主張を伴っており、この米国仮特許出願を、参考文献として本出願に組み込む。
【発明の分野】
【０００２】
本発明は、航空機における緊急用呼吸マスクを展開するための方法および装置に関する。装置は、航空機の客室内の圧力が低下したとき、自動的にまたは手動によって動作し、ユーザに対して呼吸マスクを提供する。
【発明の背景】
【０００３】
図１Ａに示されるように、典型的な緊急用呼吸マスク展開システムは、流体バルブアッセンブリ１４、１つまたはそれ以上の口鼻被覆型酸素マスク１６、およびマスク１６を容器１２内に詰め込まれた状態で支持するための手段１８を支持する一般に直方体形状の貯蔵容器１２を備えている。当業者によく知られているように、マスク１６は、展開されたときに絡まらないようにのびた状態を維持するように、詰め込まれていなければならない。従来のシステムによれば、マスク１６は、容器１２および／または航空機の耐用期間中、数回にわたり、航空機の整備士によって、容器１２内に再び詰め込まれなければならない。例えば、マスク１６は、予め定められた期間が経過したときに交換されなければならず、マスクは検査された後に再び詰め込まれ、あるいは、展開された後に再び詰め込まれなければならない。マスク１６を容器１２内に再び詰め込むために、典型的には、酸素チューブ２９を有するコンポーネント、貯蔵バッグ３８、弾性力を有するストラップ３４および引き綱６０が、図１Ｂに示されるように、注意深く折り畳まれ、また巻き付けられる。それによって、マスク１６は、緊急時に適切に展開され、絡まることがない。マスクを再び詰め込む作業は、多大の時間を浪費し、航空機整備士の労賃を上昇させる。
【０００４】
したがって、マスクの交換に際し、整備士の手動による酸素マスクの再詰め込み作業を省くことができる方法および装置が要請されている。加えて、大抵のマスクは航空機の室内の天井に取り付けられる一方、幾つかの航空機では、室内の側壁または座席アッセンブリの一部として取り付けられなばならない。後者においては、重力以外の力によって展開され得る緊急用マスクシステムが必要とされる。そして、上記両方の要求を満たす方法および装置が必要とされている。
【発明の概要】
【０００５】
本発明は、整備士の手動による酸素マスクの再詰め込み作業を必要としない、予め詰め込まれたモジユールシステムをもたらす、酸素マスクを提供するための方法および装置を提供することによって、上記要求を満たしたものである。システムはまた、マスクを展開するための重力以外の力も生じさせる。本発明は、重力とともに、マスクを放出するための別の力を生じさせる向きに取り付けられた天井においても使用可能であることが理解されるだろう。
【発明を実施するための最良の形態】
【０００６】
図２を参照して、カートリッジ１００は、円筒形状を有し、単一の酸素マスクアッセンブリ１０３を有している。当業者に明らかなように、酸素マスクアッセンブリ１０３は、次の主要コンポーネントを有している。すなわち、折り畳まれた貯蔵バッグ１０６、口鼻被覆型マスク１０９、ストラップ１１２および呼吸導管１１５。カートリッジ１００は、側壁１１８および端壁１２１を備えている。端壁１２１は、迅速嵌め込み接続機構を受け入れるための開口１２４を備えている。迅速嵌め込み接続機構は、マスクアッセンブリ上の導管と流体をやりとりする。カートリッジ１００は、端壁１２１と反対側に開口１２７を有し、この開口１２７から、マスク１０９が、展開時にカートリッジ１００から放出される。開口１２７は、当初は、取り外し可能な基板１３０によって全体をまたは部分的に覆われている。基板１３０は、感圧接着剤層またはそれに類するものを有している。あるいは、基板１３０は、折り目付けられ、まは切り込み線を付され、または多数の穴を有しており、マスクの展開時にパックリと裂けるようになっている。基板１３０は、開口１２７を被覆することによって、マスクアッセンブリ１０３をカートリッジ１００の設置時に所定の位置に保持し、さらに汚れを防ぐようになっている。カートリッジ１００は、現場において、航空機の整備士による個々のマスクコンポーネントの取り扱いを必要とせずに設置されるように意図された、予め詰め込まれた独立型のアッセンブリを構成している。それ故、カートリッジ１００は、１／４回転バヨネット（図示されない）、ピンおよびスロット接続機構（図６〜９参照）、または押し込み固定式接続機構（図１２参照）のような迅速酸素ライン接続機構および迅速機械的接続機構を備えている。これらの接続機構は、工具や独立な留め具を用いることなく、現場での迅速な取り付けを可能とする。しかしながら、カートリッジ１００を、工具や独立な留め具を用いて取り付けることもできる。
【０００７】
予め詰め込まれたモジュール構造に加えて、カートリッジ１００は、図２に示されるような、バネ付勢されたピストン１３１等の補助的なマスク放出装置を有している。ピストン１３１は、ピストン１３１の後部の溝１３５内に配置された一対のコイルバネ１３３によつて弾性付勢される。電気信号が与えられたときまたは酸素流が生じたとき、バネ１３３は、保持機構から解放され、ピストン１３１上において、図２において下向きに力を及ぼす。この力によって、マスク１０９はそのカートリッジから放出され、ユーザに供給される。
【０００８】
当業者に明らかなように、マスク放出装置は、カートリッジの一部として、または（図１０〜１２に示されるように）ハウジングまたは酸素マニホールドの一部として、またはいくつかまたは全ての上述のコンポーネントの一部として形成され得る。また、放出装置をカートリッジから除去するために、カートリッジは、マニホールド上に取り付けられた放出装置からの力に応答する端壁を備え得る。また、カートリッジは、先端に１つ又はそれ以上の開口を備え、これら１つまたはそれ以上の開口は、フレキシブルなカバーによって覆われ、それによって、放出装置がマスク１０９に作用して、マスクを展開することができる。
【０００９】
図３には、カートリッジの集合体が示されている。図３において、左側には、明瞭にするために、カートリッジ１００がマスクを取り除かれた状態で示されている。図示されるように、カートリッジ１００は、マニホールド１４０に取り付けるための迅速嵌め込み接続機構を有している。マニホールド１４０に沿った別の位置には、カートリッジの別の実施例が示されている。中央の位置には、カートリッジ１５０が示されている。カートリッジ１５０は、Ｏリング１５６によってシールされたピストン１５３を有している。ピストン１５３は、酸素の圧力によって作動せしめられ、マスクをカートリッジから放出する。右手の位置には、別のガス圧によって作動せしめられるピストンがカップ状のシール１５９を伴っており、このピストンはその上に圧力チャンバを形成する。
【００１０】
図４において、一対のカートリッジ１００および１５０が、航空機の客室内に通じるドア１６０に関して図示されている。図４に示されるように、ドア１６０は、ソレノイド作動式のアクチュエータ１６３によって開放される。あるいは、ドア１６０は、マスク１０９の放出力によって解除され得る機械作動式のラッチによって保持され得る。
【００１１】
一旦ドア１６０が開放されると、マスク１０９は、上述のようにパネ付勢され、または圧力によって作動せしめられるピストンの力によって、カートリッジから放出される。マスクが提供されるとき、酸素流が生じれば、マスクは、上述のように、空気圧によって放出される。
【００１２】
図５を参照して、本発明の別の実施例によれば、マスク１０９は、ベローズ状チャンバ１８３によってカートリッジ１８０から放出される。酸素流が生じたとき、ベローズ状チャンバ１８３は酸素で満たされ、それによって膨張し、マスク１０９を、図５において下向きに押す。
【００１３】
図６Ａには、カートリッジの別の実施例が示されている。カートリッジ２００は、側壁２０３および端壁２０６を有している。端壁２０６から一対のスタッド２０９がのびている。一対のスタッド２０９は、カートリッジ２００を支持構造に取り付けるために用いられる。スタッドは、本体部分２１２と、拡張ヘッド２１５を有する。拡張ヘッド２１５は、スロットに導く拡張開口をもつスロットと係合する。ヘッド２１５を拡張開口に挿入し、カートリッジ２００を回転させることによって、本体部分２１２は、当業者に明らかなように、スロット内に受け入れられ、保持される。
【００１４】
端壁２０６の中央には、アダプタ２１８によって取り囲まれた開口２０７が存在する。アダプタ２１８は、酸素マニホードに係合し得るＯリング２２１を備えていて、酸素マニホールドと、カートリッジ２００内の酸素導管２４との間の流体の連絡をもたらす。迅速接続機構およびそれに類するもののような別の接続手段がまた使用され、カートリッジ２００は、中央開口のまわりに配置されたこれらの構成要素によって支持され得る。図示されるように、ブラダ２２７の出口は、導管２２４と流体をやりとりする。導管２２４は、貯蔵バッグ、ストラップおよび口鼻被覆型マスクのような残りの構成要素の上方においてコイル状に配置されている。カバー２３０が、端壁２０６と反対側の端面においてカートリッジ２００に取り付けられる。作動時、マニホールドからブラダ２２７に向かう酸素流によってブラダ２７７が膨張し、それによって、マスクアッセンブリは、カバー２３０をカートリッジから分離する。
【００１５】
図６Ｂには、ブラダ２２７の変形例が示されている。隔壁２５０は、フレキシブルな材料からなるシートによって形成されており、カートリッジの上部２５６および下部２５９の間の中間壁部分において、カートリッジ２５３の両側に取り付けられる。カートリッジ２５３は、カートリッジが所定位置にあるとき、ガスケット２７１によって取り囲まれる中央開口２６８を有している。中央開口２６８は、マニホールド２６５における開口通路２７４と流体をやりとりする。
【００１６】
（図２を参照して上で説明されたようなストラップ等々を含む）マスクアッセンブリ２７７は、ユーザに呼吸ガスを提供すべく設けられている。ホースアッセンブリ２８０は、マスクアッセンブリ２７７を隔壁２５０上の嵌め込み部２８３に接続する。マスクアッセンブリ２７７およびホースアッセンブリ２８０は、（図６Ａに示されるように）使用に先立って折り畳まれ、カートリッジ２５３内に詰め込まれる。
【００１７】
図６Ｂに示されるように、マニホールド２６５から矢印２８４の方向に向かう呼吸ガスの流れが生じたとき、隔壁２５０は、図６Ｂにおいて下方に動かされる。マスクアッセンブリ２７７に及ぼされる隔壁２５０の力によって、マスクアッセンブリが展開される。マスクアッセンブリ２７７に及ぼされる隔壁２５６の力は、航空機の客室内の天井、または側壁、またはシートアッセンブリのオーバーヘッドを含むカートリッジ２５３の位置とは無関係に、マスクアッセンブリ２７７を展開する。
【００１８】
図７には、カートリッジの別の実施例が示されている。カートリッジ３００は、側壁３０３および端壁３０９を有している。端壁３０９は、上述のようにスタッド２０９と接続された状態で、酸素マニホールド３０８上の支持構造と係合するためのスタンド３１２を有している。また、中央開口３１０は、その上に配置されたＯリング３１８を備えたアダプタ３１５によって取り囲まれている。アダプタ３１５は、酸素マニホールド３０８に挿入され、Ｏリング３１８によってシールが形成される。
【００１９】
バネ３２１が保持部材３２３内に配置される。保持部材３２３は、Ｈ字状断面の主要部を有している。上部３２４はバネ３２１を保持し、それによって、バネ３２１をコイル状の呼吸導管３２７に接触させないようにしている。チューブ３３０が、アダプタ３１５および呼吸導管３２７の間にのび、保持部材３２３の中央において開口を貫通している。保持部材３２２３の下部は中空になっていて、コイル状の呼吸導管３２７に対する付加的な支持構造をもたらし、保持部材３２３の上部は外向きにのびるフランジ３３３を備えている。バネ３２１がカートリッジ３００の端壁３０９および保持部材３２３内の分割壁３３６の間で圧縮される。バネ３２１が、図７において、保持部材３２３に対して下向きに付勢される。
【００２０】
保持部材３２３に接続されたラッチ３５０は、図７に示されるように、バネ３２１を圧縮状態に保持する。図８〜図９に示されるように、ラッチ３５０は、酸素マニホールド３０８の面に係合せしめられる。ソレノイド作動式ピストン３６０（図８〜９参照）は、マスクを展開するためにラッチを解除する。ソレノイド上のピストンがラッチを解除することによって、バネがのびてマスクアッセンブリ内に押し出され、順次、カバー３６５に押しつけられて、カートリッジ３００の端を開く。カバー３６５が開かれた後、マスクアッセンブリはカートリッジ３００から放出される。
【００２１】
図１０〜図１２に示されるように、本発明のさらに別の実施例は、カートリッジの外側に取り付けられたバネを有している。図１０に示されるように、マニホールド４００は、キャッチ部材４０３、シャフト４０６、ヘッド４０９、および一対のバネ４１２を有する一対のラッチを支持する。バネ４１２は、ヘッド４０９およびマニホールド４００の底面４１５の間に予め圧縮された状態で配置される。
【００２２】
図１１に示されるように、カートリッジ４２０は、上壁内にバネ４１２およびその支持構造を受け入れるための一対の開口４２３を有している。カートリッジ４２０は、それをマニホールド４００に取り付けるためにスタッド４１３を備えている。カートリッジ２０は、アダプタ４２９によって取り囲まれた中央開口４２６を有している。中央開口は、口鼻被覆型マスクアッセンブリに接続された呼吸導管４３２と流体をやりとりする。こうして、マニホールド４００からの酸素は、カートリッジ４２０がマニホールド４００に取り付けられたときに呼吸導管４３２内に流れ得る。スペーサ部材４３０が、バネ４１２およびマスクアッセンブリの間に配置される。
【００２３】
図１２に示されるように、ソレノイド作動式ピストンアッセンブリ４５０が、マニホールド４００に取り付けられ、それによって、ピストンは、キャッチ部材４０３を酸素マニホールド４００から解放する。キャッチ部材４０３が一旦自由な状態になると、バネ４１２はスペーサ部材４３０を押し、順次、スペーサ部材４３０は、マスクアッセンブリカバー４８０を押してカートリッジ４２０から外へ押し出す。
【００２４】
本発明は、あらゆる形式の航空機用補助酸素供給システムとともに使用可能であることが理解されるであろう。２つの基本的な形式の酸素供給システムが存在する。これらのシステムにおいて、酸素マスクの展開は中央酸素供給の開始によって始動され、あるいは電気信号によって始動される。酸素マスクの展開が中央酸素供給によって始動されるようなシステムにおいては、上述のように、空気圧がマスクをその容器から押し出すために使用され得る。容器は、通常、典型的にカバーを含むハウジング内に収容されるので、酸素の圧力がカバーをラッチから解除するために使用され、あるいは、カバーは、マスクが容器から放出されるときにカバーの内側を押すマスクによってラッチから解放される。
【００２５】
酸素マスクの展開が中央酸素供給の開始によって始動される幾つかのシステムが存在するが、酸素を保存するために中央酸素供給は、ユーザがマスクを自分の顔面に被せるような行為をとるまでは個々のマスクに適用されない。このような状況において、酸素の供給圧は、ハウジングのドアを開け、そして、マスクを放出するためのベローズまたはブラダへの流体の流れを生じさせるために用いられる。図６Ｃ〜図６Ｅを参照して、バルブが酸素供給路中に挿入され、使用されないマスクを通じて酸素流が流れ出すことが防止される。図６Ｃに示されるように、このような構成は、ホースアッセンブリ２８０が隔壁２５０上の嵌め込み部２８３に取り付けられるような位置にバルブ２８５が挿入されるような状況に適用される。このような場合、バルブ２８５は、単純なオン／オフトグルバルブまたはクリップ閉止型ホースアッセンブリ２８０からなっている。このバルブは、引き綱２８８に取り付けられ、マスクアッセンブリ２７７がユーザの顔に向かって引っ張られるとき、引き綱２８８がバルブ２８５を作動させ、またはクリップを解除して酸素が流れるようにする。バルブはまた、電気的に作動するようになっていて、マスクが装着された後、ユーザが吸気して、マスクおよびチューブ内にわずかな負圧を生じさせることによって作動せしめられ、そしてそれは、酸素の流れを生じさせる電気スイッチによって検出される。
【００２６】
図６Ｄは、マニホールド上またはカートリッジ上に取り付けられたスイッチを示したものである。すでに説明したようなマスクを放出するベローズまたはブラダ内への酸素の流れは、電気的バルブ２８９がユーザの存在を検出し、マスクアッセンブリ２７７に向かう酸素の流れを許可するまで、マスクのチューブ内を流れることができない。
【００２７】
図６Ｅは酸素供給源内に配置された電気スイッチの変形例を示したものである。この変形例において、電気スイッチ２９６は、酸素が中央開口２６８を通ってベローズまたはブラダ内に流れることを許可し、すでに述べたように、マスクアッセンブリ２７７を放出させる。しかしながら、スイッチ２９６は、酸素の流れがマスクを放出するのに必要な時間だけ生じることを許容するようにプログラムされており、その後、酸素供給源は、電気スイッチ２９６によって遮断される。電気スイッチ２９６は、酸素チューブ２９４によってユーザが呼吸していることを検出するまで再び開放されることはなく、酸素の流れを継続的に流すことはない。
【００２８】
マスクの展開が、酸素の如何なる流れも生じさせずに、電気信号によって始動されるようなシステムにおいて、酸素供給源は、しばしば化学的酸素発生器、または１つまたはそれ以上のハウジング内に収容されたマスクの組のみに作用するシールされた酸素シリンダからなっている。このような場合、酸素発生器を浪費すること、またはシールされたシリンダのシールの破れを防止するため、酸素供給源は、ユーザが酸素マスクに達し、それを自分の顔に向かって引き出したときに動作を開始するようにしてもよい。したがって、マスクの放出は、酸素ガス供給源の始動に先立ってマスクが放出されなければならないとき、酸素の流れとは独立になされる。
【００２９】
これまで、本発明を一定数の実施例に基づいて説明してきたが、本発明の構成は、このような特定の実施形態に制限されるものではなく、種々の変形例が、添付の請求の範囲に記載された発明の構成の範囲内で創作可能である。
【図面の簡単な説明】
【００３０】
【図１Ａ】容器から自由に吊り下げられた酸素マスクを示す従来の緊急用マスク展開システムの斜視図である。
【図１Ｂ】容器の内部において展開のために折り畳まれた酸素マスクの斜視図である。
【図２】本発明による１つのマスクカートリッジの正面図である
【図３】個々のカートリッジを収容するための３つのポートを示した立面図である。
【図４】出入口ドアにかんする本発明によるカートリッジの位置関係を示した立面図である。
【図５】本発明の別の実施例の立面図である。
【図６Ａ】本発明によるカートリッジの別の実施例の立断面図である。
【図６Ｂ】図６Ａに示したカートリッジの別の実施例の立断面図である。
【図６Ｃ】隔壁およびマスクアッセンブリに取り付けられたホースの間に配置されたバルブを備えたカートリッジの断面図である。
【図６Ｄ】マスクアッセンブリに向かう流れを制御するためのバルブの別の実施例の断面図である。
【図６Ｅ】マスクアッセンブリに向かう流れを制御するためのバルブのさらに別の実施例の断面図である。
【図７】本発明によるカートリッジの別の実施例の立断面図である。
【図８】マニホールドに取り付けられた複数のカートリッジの正面図である。
【図９】図８に示したカートリッジおよびマニホールドの斜視図である。
【図１０】マニホールドの別の実施例の部分立断面図である
【図１１】本発明によるカートリッジのさらに別の実施例の立断面図である
【図１２】本発明によるカートリッジおよびマニホールドのさらに別の実施例の部分立断面図図である
【図１Ａ】
2008526447.tif 000003
【図１Ｂ】
2008526447.tif 000004
【図２】
2008526447.tif 000005
【図３】
2008526447.tif 000006
【図４】
2008526447.tif 000007
【図５】
2008526447.tif 000008
【図６Ａ】
2008526447.tif 000009
【図６Ｂ】
2008526447.tif 000010
【図６Ｃ】
2008526447.tif 000011
【図６Ｄ】
2008526447.tif 000012
【図６Ｅ】
2008526447.tif 000013
【図７】
2008526447.tif 000014
【図８】
2008526447.tif 000015
【図９】
2008526447.tif 000016
【図１０】
2008526447.tif 000017
【図１１】
2008526447.tif 000018
【図１２】
2008526447.tif 000019
【国際調査報告】
2008526447.tif 000020
2008526447.tif 000021